(57)【特許請求の範囲】
【請求項１】
光ディスクを出し入れするスロット部と、光ディスクの記録信号を読み取り可能とするために回転する回転部と、スロット部から回転部へ光ディスクを移動させるローディング動作及び回転部からスロット部へ光ディスクを移動させるアンローディング動作をするスロットイン式ローディング部と、スロットイン式ローディング部のローディング動作で光ディスクが回転部に装填状態になったことを検出する装填検出部と、スロットイン式ローディング部のアンローディング動作で光ディスクが所定の排出位置に来たことを検出するための排出検出部と、光ディスク未装填状態でスロット部から光ディスクが挿入されるとスロットイン式ローディング部を制御してローディング動作を開始させ、装填検出部で光ディスクが回転部に装填状態になったことが検出されるとローディング動作を停止させ、反対に光ディスク装填状態でイジェクト操作部でイジェクト操作がされると、スロットイン式ローディング部を制御してアンローディング動作を開始させ、排出検出部でディスクが排出位置に来たことが検出されるとアンローディング動作を停止させるローディング制御部と、を含むスロットイン式光ディスク再生装置において、
ローディング制御部は、予め、光ディスクのアンローディング動作を開始後、スロット部から取り出し可能な所定位置まで排出するのに要する時間を基準時間として記憶しておき、光ディスクの装填状態でイジェクト操作部でイジェクト操作がされたとき、スロットイン式ローディング部を制御してアンローディング動作を開始させるとともにアンローディング動作開始後の経過時間の計時を開始し、排出検出部で光ディスクが排出位置に来たことを示す検出出力がなされると、その時点までに計時した経過時間が前記基準時間を過ぎていたらアンローディング動作を直ちにまたは所定の一定時間後に停止させ、排出検出部で光ディスクが排出位置に来たことが検出されるまでに計時した経過時間がまだ前記基準時間に達していなければ、更にアンローディング動作を継続させ、その後、計時した経過時間が前記基準時間に達したら直ちにまたは所定の一定時間後にアンローディング動作を停止させるようにしたこと、
を特徴とするスロットイン式光ディスク再生装置。
【請求項２】
光ディスクを出し入れするスロット部と、光ディスクの記録信号を読み取り可能とするために回転する回転部と、スロット部から回転部へ光ディスクを移動させるローディング動作及び回転部からスロット部へ光ディスクを移動させるアンローディング動作をするスロットイン式ローディング部と、スロットイン式ローディング部のローディング動作で光ディスクが回転部に装填状態になったことを検出する装填検出部と、スロットイン式ローディング部のアンローディング動作で光ディスクが所定の排出位置に来たことを検出するための排出検出部と、光ディスク未装填状態でスロット部から光ディスクが挿入されるとスロットイン式ローディング部を制御してローディング動作を開始させ、装填検出部で光ディスクが回転部に装填状態になったことが検出されるとローディング動作を停止させ、反対に光ディスク装填状態でイジェクト操作部でイジェクト操作がされると、スロットイン式ローディング部を制御してアンローディング動作を開始させ、排出検出部でディスクが排出位置に来たことが検出されるとアンローディング動作を停止させるローディング制御部と、を含むスロットイン式光ディスク再生装置において、
ローディング制御部は、予め、光ディスクのアンローディング動作を開始後、スロット部から取り出し可能な所定位置まで排出するのに要する時間を基準時間として記憶しておき、光ディスクの装填状態でイジェクト操作部でイジェクト操作がされたとき、スロットイン式ローディング部を制御してアンローディング動作を開始させるとともにアンローディング動作開始後の経過時間の計時を開始し、排出検出部で光ディスクが排出位置に来たことを示す検出出力がなされると、その時点までに計時した経過時間が前記基準時間を過ぎていたらアンローディング動作を直ちにまたは所定の一定時間後に停止させ、排出検出部で光ディスクが排出位置に来たことが検出されるまでに計時した経過時間がまだ前記基準時間に達していなければ、更にアンローディング動作を継続させ、その後、計時した経過時間が前記基準時間に達したら、その時点で排出検出部で光ディスクが排出位置に来たことを示す検出出力がなされていればアンローディング動作を直ちにまたは所定の一定時間後に停止させ、まだ排出検出部で光ディスクが排出位置に来たことを示す検出出力がなされていなければ、光ディスクが排出位置に来たことを示す検出出力がなされた所で直ちにまたは所定の一定時間後にアンローディング動作を停止させるようにしたこと、
を特徴とするスロットイン式光ディスク再生装置。
【請求項３】
光ディスクを出し入れするスロット部と、光ディスクの記録信号を読み取り可能とするために回転する回転部と、スロット部から回転部へ光ディスクを移動させるローディング動作及び回転部からスロット部へ光ディスクを移動させるアンローディング動作をするスロットイン式ローディング部と、スロットイン式ローディング部のローディング動作で光ディスクが回転部に装填状態になったことを検出する装填検出部と、スロットイン式ローディング部のアンローディング動作で光ディスクが所定の排出位置に来たことを検出するための排出検出部と、光ディスク未装填状態でスロット部から光ディスクが挿入されるとスロットイン式ローディング部を制御してローディング動作を開始させ、装填検出部で光ディスクが回転部に装填状態になったことが検出されるとローディング動作を停止させ、反対に光ディスク装填状態でイジェクト操作部でイジェクト操作がされると、スロットイン式ローディング部を制御してアンローディング動作を開始させ、排出検出部でディスクが排出位置に来たことが検出されるとアンローディング動作を停止させるローディング制御部と、を含むスロットイン式光ディスク再生装置において、
ローディング制御部は、予め、光ディスクのアンローディング動作を開始後、スロット部から取り出し可能な所定位置まで排出するのに要する時間を基準時間として記憶しておき、光ディスクの装填状態でイジェクト操作部でイジェクト操作がされたとき、スロットイン式ローディング部を制御してアンローディング動作を開始させるとともにアンローディング動作開始後の経過時間の計時を開始し、排出検出部で光ディスクが排出位置に来たことを示す検出出力がなされると、その時点までに計時した経過時間が前記基準時間を過ぎていたらアンローディング動作を直ちにまたは所定の一定時間後に停止させ、排出検出部で光ディスクが排出位置に来たことが検出されるまでに計時した経過時間がまだ前記基準時間に達していなければ、更にアンローディング動作を継続させ、その後、計時した経過時間が前記基準時間に達したら、更に所定の一定時間経過した時点で排出検出部で光ディスクが排出位置に来たことを示す検出出力がなされていればアンローディング動作を直ちにまたは所定の一定時間後に停止させ、まだ排出検出部で光ディスクが排出位置に来たことを示す検出出力がなされていなければ、光ディスクが排出位置に来たことを示す検出出力がなされた所で直ちにまたは所定の一定時間後にアンローディング動作を停止させるようにしたこと、
を特徴とするスロットイン式光ディスク再生装置。
【請求項４】
大小２種類のサイズの光ディスクを出し入れするスロット部と、光ディスクの記録信号を読み取り可能とするために回転する回転部と、スロット部から回転部へ光ディスクを移動させるローディング動作及び回転部からスロット部へ光ディスクを移動させるアンローディング動作をするスロットイン式ローディング部と、光ディスクのサイズを検出するための第１検出部と、スロットイン式ローディング部のローディング動作で光ディスクが回転部に装填状態になったことを検出する第２検出部と、スロットイン式ローディング部のアンローディング動作で大サイズの光ディスクが所定の排出位置に来たことを検出するための第３検出部と、スロットイン式ローディング部のアンローディング動作で小サイズの光ディスクが所定の排出位置に来たことを検出するための第４検出部と、光ディスク未装填状態でスロット部から光ディスクが挿入されるとスロットイン式ローディング部を制御してローディング動作を開始させ、第２検出部で光ディスクが回転部に装填状態になったことが検出されるとローディング動作を停止させ、反対に光ディスク装填状態でイジェクト操作部でイジェクト操作がされると、スロットイン式ローディング部を制御してアンローディング動作を開始させ、第３検出部と第４検出部の内、第１検出部で検出されたディスクサイズに応じた側でディスクが排出位置に来たことが検出されるとアンローディング動作を停止させるローディング制御部と、を含むスロットイン式光ディスク再生装置において、
ローディング制御部は、予め、光ディスクのアンローディング動作を開始後、スロット部から取り出し可能な所定位置まで排出するのに要する時間を基準時間として記憶しておき、第１検出部でサイズが大であると検出された光ディスクの装填状態でイジェクト操作部でイジェクト操作がされたとき、スロットイン式ローディング部を制御してアンローディング動作を開始させるとともにアンローディング動作開始後の経過時間の計時を開始し、第３検出部で光ディスクが排出位置に来たことを示す検出出力がなされると、その時点までに計時した経過時間が前記基準時間を過ぎていたら直ちにまたは所定の一定時間後にアンローディング動作を停止させ、第３検出部で光ディスクが排出位置に来たことが検出されるまでに計時した経過時間がまだ前記基準時間に達していなければ、更にアンローディング動作を継続させ、その後、計時した経過時間が前記基準時間に達した所で直ちにまたは所定の一定時間後にアンローディング動作を停止させるようにしたこと、
を特徴とするスロットイン式光ディスク再生装置。
【請求項５】
大小２種類のサイズの光ディスクを出し入れするスロット部と、光ディスクの記録信号を読み取り可能とするために回転する回転部と、スロット部から回転部へ光ディスクを移動させるローディング動作及び回転部からスロット部へ光ディスクを移動させるアンローディング動作をするスロットイン式ローディング部と、光ディスクのサイズを検出するための第１検出部と、スロットイン式ローディング部のローディング動作で光ディスクが回転部に装填状態になったことを検出する第２検出部と、スロットイン式ローディング部のアンローディング動作で大サイズの光ディスクが所定の排出位置に来たことを検出するための第３検出部と、スロットイン式ローディング部のアンローディング動作で小サイズの光ディスクが所定の排出位置に来たことを検出するための第４検出部と、光ディスク未装填状態でスロット部から光ディスクが挿入されるとスロットイン式ローディング部を制御してローディング動作を開始させ、第２検出部で光ディスクが回転部に装填状態になったことが検出されるとローディング動作を停止させ、反対に光ディスク装填状態でイジェクト操作部でイジェクト操作がされると、スロットイン式ローディング部を制御してアンローディング動作を開始させ、第３検出部と第４検出部の内、第１検出部で検出されたディスクサイズに応じた側でディスクが排出位置に来たことが検出されるとアンローディング動作を停止させるローディング制御部と、を含むスロットイン式光ディスク再生装置において、
ローディング制御部は、予め、光ディスクのアンローディング動作を開始後、スロット部から取り出し可能な所定位置まで排出するのに要する時間を基準時間として記憶しておき、第１検出部でサイズが大であると検出された光ディスクの装填状態でイジェクト操作部でイジェクト操作がされたとき、スロットイン式ローディング部を制御してアンローディング動作を開始させるとともにアンローディング動作開始後の経過時間の計時を開始し、第３検出部で光ディスクが排出位置に来たことを示す検出出力がなされると、その時点までに計時した経過時間が前記基準時間を過ぎていたら直ちにまたは所定の一定時間後にアンローディング動作を停止させ、第３検出部で光ディスクが排出位置に来たことが検出されるまでに計時した経過時間がまだ前記基準時間に達していなければ、更にアンローディング動作を継続させ、その後、計時した経過時間が前記基準時間に達したら、その時点で第３検出部で光ディスクが排出位置に来たことを示す検出出力がなされていれば直ちにまたは所定の一定時間後にアンローディング動作を停止させ、まだ排出検出部で光ディスクが排出位置に来たことを示す検出出力がなされていなければ、光ディスクが排出位置に来たことを示す検出出力がなされた所で直ちにまたは所定の一定時間後にアンローディング動作を停止させるようにしたこと、
を特徴とするスロットイン式光ディスク再生装置。
【請求項６】
大小２種類のサイズの光ディスクを出し入れするスロット部と、光ディスクの記録信号を読み取り可能とするために回転する回転部と、スロット部から回転部へ光ディスクを移動させるローディング動作及び回転部からスロット部へ光ディスクを移動させるアンローディング動作をするスロットイン式ローディング部と、光ディスクのサイズを検出するための第１検出部と、スロットイン式ローディング部のローディング動作で光ディスクが回転部に装填状態になったことを検出する第２検出部と、スロットイン式ローディング部のアンローディング動作で大サイズの光ディスクが所定の排出位置に来たことを検出するための第３検出部と、スロットイン式ローディング部のアンローディング動作で小サイズの光ディスクが所定の排出位置に来たことを検出するための第４検出部と、光ディスク未装填状態でスロット部から光ディスクが挿入されるとスロットイン式ローディング部を制御してローディング動作を開始させ、第２検出部で光ディスクが回転部に装填状態になったことが検出されるとローディング動作を停止させ、反対に光ディスク装填状態でイジェクト操作部でイジェクト操作がされると、スロットイン式ローディング部を制御してアンローディング動作を開始させ、第３検出部と第４検出部の内、第１検出部で検出されたディスクサイズに応じた側でディスクが排出位置に来たことが検出されるとアンローディング動作を停止させるローディング制御部と、を含むスロットイン式光ディスク再生装置において、
ローディング制御部は、予め、光ディスクのアンローディング動作を開始後、スロット部から取り出し可能な所定位置まで排出するのに要する時間を基準時間として記憶しておき、第１検出部でサイズが大であると検出された光ディスクの装填状態でイジェクト操作部でイジェクト操作がされたとき、スロットイン式ローディング部を制御してアンローディング動作を開始させるとともにアンローディング動作開始後の経過時間の計時を開始し、第３検出部で光ディスクが排出位置に来たことを示す検出出力がなされると、その時点までに計時した経過時間が前記基準時間を過ぎていたら直ちにまたは所定の一定時間後にアンローディング動作を停止させ、第３検出部で光ディスクが排出位置に来たことが検出されるまでに計時した経過時間がまだ前記基準時間に達していなければ、更にアンローディング動作を継続させ、その後、計時した経過時間が前記基準時間に達したら、更に所定の一定時間経過した時点で第３検出部で光ディスクが排出位置に来たことを示す検出出力がなされていれば直ちにまたは所定の一定時間後にアンローディング動作を停止させ、まだ排出検出部で光ディスクが排出位置に来たことを示す検出出力がなされていなければ、光ディスクが排出位置に来たことを示す検出出力がなされた所で直ちにまたは所定の一定時間後にアンローディング動作を停止させるようにしたこと、
を特徴とするスロットイン式光ディスク再生装置。
【発明の詳細な説明】
【０００１】
【発明の属する技術分野】
本発明はスロットイン式光ディスク再生装置に係り、とくに、規格から外れた形状の光ディスクでも確実に排出できるようにしたスロットイン式光ディスク再生装置に関する。
【０００２】
【従来の技術】
直径１２ｃｍの通常のＣＤまたは直径８ｃｍのシングルＣＤをトレイに載せることなくスロット部から直接挿入可能としたスロットイン式ＣＤプレーヤが有る。従来のスロットイン式ＣＤプレーヤのスロットイン式ローディング部を中心とした構成を図９に示す。１は前面パネルであり、１２ｃｍの通常のＣＤ２又は８ｃｍのシングルＣＤ３を出し入れするスロット部４が設けられている。ＣＤ２またはシングルＣＤ３の内、２ａまたは３ａは中心孔、２ｂまたは３ｂは信号が記録される信号記録面領域であり、光を反射する性質を持つ。２ｃまたは３ｃは中心孔２ａまたは３ａと信号記録面領域２ｂまたは３ｂの最内周との間の透明領域、２ｄまたは３ｄは信号記録面領域２ｂまたは３ｂの最外周とディスク最外周との間の狭い透明領域である。
【０００３】
５は図示しないシャーシに装備されたスピンドルモータ（図示せず）により回転される回転部としてのターンテーブルであり、中央にはＣＤ２またはシングルＣＤ３の中心孔２ａまたは３ａが着脱自在に嵌合する凸部６が形成されている。７は光ピックアップであり、ターンテーブル５に装填されて所定の線速度で回転されるＣＤ２またはシングルＣＤ３の下側をディスク半径方向に移動しながら、信号記録面領域２ｂまたは３ｂにレーザビームを照射し、反射ビームを捕らえて光検出信号を出力する。この光検出信号から図示しないヘッドアンプでＲＦ信号が生成され、更に信号処理部で音楽データの復調処理がされるようになっている。
【０００４】
１０は図示しないシャーシの上で稼働するスロットイン式ローディングメカ部、１１はスロットイン式ローディングメカ部１０と結合されて駆動力を発生するローディングモータ、１２はローディングモータ１１を駆動する駆動部であり、これら３者によりスロットイン式ローディング部が構成されている。スロットイン式ローディングメカ部１０は、ディスク排出完了状態からローディングモータ１１の正転でローディング駆動されると、スロット部４から挿入されたＣＤ２またはシングルＣＤ３を、内部のターンテーブル５の上へ移動したあと降下させ、中心孔２ａまたは３ａをターンテーブル５の凸部６に嵌合させてディスク装填状態とさせるローディング動作を行う。反対に、ディスク装填状態からローディングモータ１１の逆転でアンローディング駆動されると、ＣＤ２またはシングルＣＤ３を上昇させて中心孔２ａまたは３ａをターンテーブル５の凸部６から離脱させたあと、スロット部４の方向へ移動させるアンローディング動作を行う。
【０００５】
１３は図示しないシャーシに装備されたディスク検出部であり、一対の発光素子１４、受光素子１５から構成されている。このディスク検出部１３はターンテーブル５の中心から見て真っ直ぐスロット部４の方向にＣＤ２の半径とシングルＣＤ３の半径の中間である５ｃｍ離れた所に設置されており、真上にＣＤ２またはシングルＣＤ３の信号記録面領域２ｂまたは３ｂが来ると、スロットイン式ローディングメカ部１０に設けられた開口（図示せず）を通して発光素子１４から出た光がＣＤ２またはシングルＣＤ３の信号記録面領域２ｂまたは３ｂで反射されたあと受光素子１５で受光され、該受光素子１５からディスク有りを示すＨレベルの検出信号Ａが出力される。ディスク検出部１３の真上にＣＤ２またはシングルＣＤ３の信号記録面領域２ｂまたは３ｂが無いとき発光素子１４から出た光が受光素子１５で受光されず、該受光素子１５からディスク無しを示すＬレベルの検出信号Ａが出力される。ディスクがターンテーブル５に装填状態にあるときのディスク検出部１３の検出出力はディスクサイズを示す（Ｈレベルのとき１２ｃｍ、Ｌレベルのとき８ｃｍ）。ＣＤ２またはシングルＣＤ３がアンローディングされる際、発光素子１４の光軸とＣＤ２またはシングルＣＤ３との交点の軌跡が中心孔２ａまたは３ａの丁度真ん中を横切るように配置されている。
【０００６】
１６はスロットイン式ローディングメカ部１０がローディング動作を完了したとき機械的に接点が閉じることで、ＣＤ２またはシングルＣＤ３のターンテーブル５に対する装填完了を検出し、Ｈレベルの検出信号Ｂを出力する装填完了検出部である。なお、ＣＤ２またはシングルＣＤ３の中心孔２ａまたは３ａは、スロットイン式ローディングメカ部１０がローディング動作を完了する前にターンテーブル５の凸部６に嵌合して装填完了状態となる。
【０００７】
１７はシャーシに装備された第１ディスク排出検出部であり、一対の発光素子１８、受光素子１９から構成されている。この第１ディスク排出検出部１７は１２ｃｍのＣＤ２が所定の排出位置に来たことを検出するためのものであり、ターンテーブル５の中心から見てスロット部４の側の斜め方向に所定距離離れた所に設置されており、アンローディング動作中、真上にＣＤ２の信号記録面領域２ｂが在る間は、スロットイン式ローディングメカ部１０に設けられた開口（図示せず）を通して発光素子１８から出た光がＣＤ２の信号記録面領域２ｂで反射されたあと受光素子１９で受光され、該受光素子１９からディスクが排出位置に来ていないことを示すＨレベルの検出信号Ｃが出力される。アンローディング動作が進み、ＣＤ２がスロット部４からほぼ半分ほど外部に出たとき、第１ディスク排出検出部１７の真上にＣＤ２の縁が来て発光素子１８の光軸上にＣＤ２の信号記録領域２ｂが無い状態になり、発光素子１８から出た光が受光素子１９で受光されず、該受光素子１９からディスクが排出位置に来たことを示すＬレベルの検出信号Ｃが出力される。
【０００８】
２０はシャーシに装備された第２ディスク排出検出部であり、一対の発光素子２１、受光素子２２から構成されている。この第２ディスク排出検出部２０は８ｃｍのシングルＣＤ３が所定の排出位置に来たことを検出するためのものであり、ターンテーブル５の中心から見てスロット部４の側の斜め方向に所定距離だけ離れた所に設置されており、アンローディング動作中、真上にシングルＣＤ３の信号記録面領域３ｂが在る間は、スロットイン式ローディングメカ部１０に設けられた開口（図示せず）を通して発光素子２１から出た光がシングルＣＤ３の信号記録面領域３ｂで反射されたあと受光素子２２で受光され、該受光素子２２からディスクが排出位置に来ていないことを示すＨレベルの検出信号Ｄが出力される。アンローディング動作が進み、シングルＣＤ３がスロット部４からほぼ半分ほど外部に出たとき、第２ディスク排出検出部２０の真上にシングルＣＤ３の縁が来て発光素子２１の光軸上にシングルＣＤ３の信号記録面領域３ｂが無い状態になり、発光素子２１から出た光が受光素子２２で受光されず、該受光素子２２からディスクが排出位置に来たことを示すＬレベルの検出信号Ｄが出力される。
【０００９】
２３はイジェクト操作を行うためのイジェクトキー、ＰＬＡＹキー、ＳＴＯＰキーなど各種操作キーを有する操作部、２４はプレーヤの全体的な制御を司るマイコン構成のコントロール部であり、ディスク非装填状態でＣＤ２またはシングルＣＤ３がスロット部４から挿入されたとき、スロットイン式ローディング部を制御してローディング動作を行わせ、反対にディスク装填状態でイジェクトキーが押されてイジェクト操作がされたとき、スロットイン式ローディング部を制御してアンローディング動作を行わせる。また、コントロール部２４はディスク装填状態でＰＬＡＹキーが押されるとスピンドルモータによりターンテーブル５を回転させながら、光ピックアップ７、図示しないヘッドアンプ及び信号処理部から成る再生系を制御してＣＤ２またはシングルＣＤ３の再生を行わせる。
【００１０】
図１０と図１１はコントロール部２４の制御処理を示すフローチャート、図１２〜図１７はローディング／アンローディング動作の説明図であり、以下、これらの図を参照してスロットイン式ＣＤプレーヤにおけるローディング／アンローディング動作を説明する。なお、最初、図９に示す如くＣＤ２またはシングルＣＤ３がターンテーブル５に未装填状態であり、Ａ〜ＤがいずれもＬレベルになっているものとする。
【００１１】
ユーザがＣＤ２またはシングルＣＤ３をスロット部４から挿入し、信号記録面領域２ｂまたは３ｂがディスク検出部１３の上に来て発光素子１４から発射された光が受光素子１５で受光されると、該受光素子１５からディスク在りを示すＨレベルの検出信号Ａが出力される（図１２（１）または図１５（１）参照）。コントロール部２４は検出信号ＡがＨレベルに成るとディスクが挿入されたと判断し（図１０のステップＳ１０でＹＥＳ）、駆動部１２を制御してローディングモータ１１を一定速度で正転させ、スロットイン式ローディングメカ部１に対するローディング駆動を開始させる（ステップＳ１１）。これにより、ＣＤ２またはシングルＣＤ３はスロット部４からターンテーブル５に移動され、中心孔２ａまたは３ａが凸部６に嵌合する（図１２（２）または図１５（２）参照。この際、スロットイン式ローディングメカ部１０に連動した図示しないチャッキングメカ部によりＣＤ２またはシングルＣＤ３がチャッキングされる）。この後、スロットイン式ローディングメカ部１０のローディング動作に連動して装填完了検出部１６の接点が閉じ、ディスク装填完了を示すＨレベルの検出信号Ｂが出力される。
【００１２】
コントロール部２４は検出信号ＢがＨレベルに成るとディスク装填が完了したと判断し（ステップＳ１２でＹＥＳ）、駆動部１２を制御してローディングモータ１１を停止させ、スロットイン式ローディングメカ部１０に対するローディング駆動を停止させ、スロットイン式ローディングメカ部１０のローディング動作を停止させる（ステップＳ１３）。このとき、ディスク検出部１３から入力された検出信号Ａをチェックして今回装填されたディスクのサイズを判別し、判別結果をＳＩＺＥデータとして記憶しておく（ステップＳ１４）。具体的にはＡがＨレベルとなっていたときは、ＳＩＺＥデータ＝１２ｃｍとして記憶し、ＡがＬレベルとなっていたときは、ＳＩＺＥデータ＝８ｃｍとして記憶しておく。このようにしてＣＤ２のターンテーブル５への装填が完了したとき、第１ディスク排出検出部１７と第２ディスク排出検出部２０の真上に信号記録面領域２ｂが来て、発光素子１８から発射された光が受光素子１９で受光され、該受光素子１９からＨレベルの検出信号Ｃが出力され、同様に、発光素子２１から発射された光が受光素子２２で受光され、該受光素子２２からＨレベルの検出信号Ｄが出力される（図１２（２）参照）。シングルＣＤ３のターンテーブル５への装填が完了したとき、第１ディスク排出検出部１７の真上には信号記録面領域３ｂが来ずに、第２ディスク排出検出部２０の真上に信号記録面領域３ｂが来て、発光素子１８から発射された光が受光素子１９で受光されず、該受光素子１９からＬレベルの検出信号Ｃが出力され、発光素子２１から発射された光が受光素子２２で受光され、該受光素子２２からＨレベルの検出信号Ｄが出力される（図１５（２）参照）。
【００１３】
このあと、操作部２３でＰＬＡＹキーが押されるとコントロール部２４はスピンドルモータによりターンテーブル５を回転させ、光ピックアップ７、図示しないヘッドアンプ、信号処理部の再生系によりＣＤ２またはシングルＣＤ３を先頭から再生させ、ＣＤ２またはシングルＣＤ３の最後まで再生が終わるか、ＳＴＯＰキーが押された所で再生を停止させる（ステップＳ１５〜Ｓ１９）。
【００１４】
ディスクの再生停止中にユーザがターンテーブル５に装填状態に在るＣＤ２またはシングルＣＤ３を取り出したいとき、操作部２３のイジェクトキーを押し、イジェクト操作を行う。すると、コントロール部２４はステップＳ２０でＹＥＳと判断し、図１１のフローへ進む。なお、ディスクの再生中にイジェクト操作がされたときは、再生を停止させたあと図１１のフローへ進む（ステップＳ２１でＹＥＳ、Ｓ２２）。図１１のフローではまず駆動部１２を制御してローディングモータ１１を一定速度で逆転させ、スロットイン式ローディングメカ部１０に対するアンローディング駆動を開始させる（ステップＳ３０）。最初、スロットイン式ローディングメカ部１０のアンローディング動作と連動してチャッキングメカ部によるチャッキングが解除する。続いて、スロットイン式ローディングメカ部１０のアンローディング動作により、ＣＤ２またはシングルＣＤ３が上昇して中心孔２ａまたは２ｂがターンテーブル５の凸部６から外れる（この段階で装填完了検出部１６の接点が開き、検出信号ＢはＬレベルに落ちる）。次に、ＣＤ２またはシングルＣＤ３がスロット部４の方向に真っ直ぐ移動していく。
【００１５】
コントロール部２４はステップＳ３０のあと、ディスク装填時に判別して記憶しておいたＳＩＺＥデータが１２ｃｍであれば、第１ディスク排出検出部１７の検出信号Ｃがディスクが排出位置に来たことを示すＬレベルになるのを待ち（ステップＳ３１、Ｓ３２）、ＣがＬレベルになったところで１２ｃｍのＣＤ２の排出完了と判断し（図１３（１）参照）、更に確実な排出を期すため１３０ｍｓ経過するのを待ったあと駆動部１２を制御してローディングモータ１１を停止させ、スロットイン式ローディングメカ部１０に対するアンローディング駆動を停止させ、スロットイン式ローディングメカ部１０のアンローディング動作を停止させる（ステップＳ３４、Ｓ３５）。これにより、１２ｃｍのＣＤ２の排出が完了し、ほぼＣＤ２の半分がスロット部４から外部に出た状態となる（図１３（２）参照）。このとき、ディスク検出部１３と第２ディスク排出検出部２０の上には信号記録面領域２ｂが来ており、検出信号ＡとＤがＨレベルとなるようになっている。
【００１６】
これと異なり、ディスク装填時に判別して記憶しておいたＳＩＺＥデータが８ｃｍであれば、第２ディスク排出検出部２０の検出信号Ｄがディスクが排出位置に来たことを示すＬレベルになるのを待ち（ステップＳ３１、Ｓ３３）、ＤがＬレベルになったところで８ｃｍのシングルＣＤ３の排出完了と判断し（図１６（１）参照）、更に１３０ｍｓ経過するのを待ったあと駆動部１２を制御してローディングモータ１１を停止させ、スロットイン式ローディングメカ部１０のアンローディング動作を停止させる（ステップＳ３４、Ｓ３５）。これにより、８ｃｍのシングルＣＤ３の排出が完了し、ほぼシングルＣＤ３の半分がスロット部４から外部に出た状態となる（図１６（２）参照）。このとき、ディスク検出部１３の上には信号記録面領域３ｂが来ており、検出信号ＡがＨレベルとなるようになっている。
【００１７】
ＣＤ２またはシングルＣＤ３の排出を完了したあと、コントロール部２４はディスク検出部１３と第１ディスク排出検出部１７と第２ディスク排出検出部２０からの検出信号ＡとＣとＤが全てＬレベルになったかのチェックと、第１ディスク排出検出部１７又は第２ディスク排出検出部２０からの検出信号Ｃ又はＤがＬレベルからＨレベルに立ち上がったかのチェックを繰り返す（ステップＳ３６、Ｓ３７）。ユーザが排出完了後のＣＤ２またはシングルＣＤ３をスロット部４から取り出すと、検出信号Ａ、Ｄ、Ｃの全てがディスク無しを示すＬレベルになるので、コントロール部２４はステップＳ３６でＹＥＳと判断し、図１０のステップＳ１０に戻り、新たなＣＤ２またはシングルＣＤ３が挿入されるのを待つ。
若し、ユーザが一度排出されたＣＤ２またはシングルＣＤ３を再度聴取するため、ＣＤ２またはシングルＣＤ３をスロット部４の中に押し込み、ＣＤ２またはシングルＣＤ３の信号記録面領域２ｂまたは３ｂが第１ディスク排出検出部１７または第２ディスク排出検出部２０の上に来たとき、検出信号ＣまたはＤのいずれかがＬレベルからＨレベルに立ち上がる（図１４または図１７参照）。すると、コントロール部２４はステップＳ３７でＹＥＳと判断し、図１０のステップＳ１１に進んで、前述と全く同様にしてローディング動作を行わせる。
【００１８】
【発明が解決しようとする課題】
ところで、ＣＤの中には図１８（１）の符号３０に示す如く、信号は直径８ｃｍのシングルＣＤ３と同じ範囲にしか記録されていないが、サイズは通常のＣＤ２と同じ直径１２ｃｍのクールＣＤと称せられている規格外のものが有る。このクールＣＤ３０でも中心にはターンテーブル５の凸部６と着脱自在に嵌合する中心孔３０ａが開いている。そして、中心孔３０ａの外側で半径２０ｍｍまでが透明領域３０ｃ、透明領域３０ｃの外側で半径３８ｍｍまでが信号記録面領域３０ｂとなっており、この信号記録面領域３０ｂの外側が全て透明領域３０ｄとなっている。
【００１９】
このクールＣＤ３０を上記したスロットイン式ＣＤプレーヤに挿入した場合、信号記録面領域３０ｂがディスク検出部１３の上に来て検出信号ＡがＨレベルになると（図１９（１）参照）、あとはコントロール部２４の制御で１２ｃｍの通常のＣＤ２とほぼ同様にローディング動作が行われて図１９（２）の如くディスク装填状態となるが、ディスク装填完了時のサイズ判別ではディスク検出部１３の上に透明領域３０ｄが来ているので、発光素子１４から発射した光が反射されず受光素子１５に入射しないため、ＳＩＺＥデータが８ｃｍとなる。よって、アンローディング動作は８ｃｍのシングルＣＤ３とほぼ同様になされ、アンローディング動作停止時は図２０の如くなり、スロット部４から一部が外に出るので、ユーザはクールＣＤ３０を取り出し可能となる。
【００２０】
けれども、クールＣＤの中には図１８（２）の符号３１に示す如く、中心にはターンテーブル５の凸部６と着脱自在に嵌合する中心孔３１ａが開いており、中心孔３１ａの外側で半径２０ｍｍまでが透明領域３１ｃ、透明領域３１ｃの外側で半径３８ｍｍまでが信号記録面領域３１ｂ、この信号記録面領域３１ｂの外側が全て透明領域３１ｄとなっており、更に、上面側に透明領域３１ｃや３１ｄの上まではみ出したラベル３２が貼られたものがある。
【００２１】
ラベル３２は光に対し反射面として働くので、クールＣＤ３１を上記したスロットイン式ＣＤプレーヤに挿入した場合、信号記録面領域３１ｂまたはラベル３２がディスク検出部１３の上に来て検出信号ＡがＨレベルになると（図２１（１）参照）、あとはコントロール部２４の制御で１２ｃｍの通常のＣＤ２とほぼ同様にローディング動作が行われる。ここで例えば図２１（２）の如くディスク装填状態となったとき、ディスク装填完了時のサイズ判別ではディスク検出部１３の上にラベル３２が来ているため、発光素子１４から発射した光が反射されて受光素子１５に入射するので、ＳＩＺＥデータが１２ｃｍとなってしまう。すると、アンローディング動作は１２ｃｍの通常のＣＤ２と同様に第１ディスク排出検出部１７でディスクが排出位置に来たことが検出されて検出信号ＣがＬレベルになったあと、１３０ｍｓ経過した時点で停止されることになる。例えば、イジェクト操作時点でのクールＣＤ３１の状態が図２２（１）の如くなっていた場合、アンローディング動作開始後、直ぐにアンローディング動作が停止してしまうので、クールＣＤ３１はセットの中に入ったままとなり、取り出せなくなってしまうという不都合が生じていた（図２２（２）参照）。ラベル３２の貼られた領域に、ラベルの代わりに絵が描かれていた場合も全く同様の問題が生じていた。
本発明は上記した従来技術の問題に鑑み、規格外れの光ディスクを挿入しても取り出し不能とならないようにできるスロットイン式光ディスク再生装置を提供することを、その目的とする。
【００２２】
【課題を解決するための手段】
本発明の請求項１記載のスロットイン式光ディスク再生装置では、光ディスクを出し入れするスロット部と、光ディスクの記録信号を読み取り可能とするために回転する回転部と、スロット部から回転部へ光ディスクを移動させるローディング動作及び回転部からスロット部へ光ディスクを移動させるアンローディング動作をするスロットイン式ローディング部と、スロットイン式ローディング部のローディング動作で光ディスクが回転部に装填状態になったことを検出する装填検出部と、スロットイン式ローディング部のアンローディング動作で光ディスクが所定の排出位置に来たことを検出するための排出検出部と、光ディスク未装填状態でスロット部から光ディスクが挿入されるとスロットイン式ローディング部を制御してローディング動作を開始させ、装填検出部で光ディスクが回転部に装填状態になったことが検出されるとローディング動作を停止させ、反対に光ディスク装填状態でイジェクト操作部でイジェクト操作がされると、スロットイン式ローディング部を制御してアンローディング動作を開始させ、排出検出部でディスクが排出位置に来たことが検出されるとアンローディング動作を停止させるローディング制御部と、を含むスロットイン式光ディスク再生装置において、ローディング制御部は、予め、光ディスクのアンローディング動作を開始後、スロット部から取り出し可能な所定位置まで排出するのに要する時間を基準時間として記憶しておき、光ディスクの装填状態でイジェクト操作部でイジェクト操作がされたとき、スロットイン式ローディング部を制御してアンローディング動作を開始させるとともにアンローディング動作開始後の経過時間の計時を開始し、排出検出部で光ディスクが排出位置に来たことを示す検出出力がなされると、その時点までに計時した経過時間が前記基準時間を過ぎていたらアンローディング動作を直ちにまたは所定の一定時間後に停止させ、排出検出部で光ディスクが排出位置に来たことが検出されるまでに計時した経過時間がまだ前記基準時間に達していなければ、更にアンローディング動作を継続させ、その後、計時した経過時間が前記基準時間に達したら直ちにまたは所定の一定時間後にアンローディング動作を停止させるようにしたこと、を特徴としている。
請求項１記載のスロットイン式光ディスク再生装置によれば、光ディスクが規格外のため、イジェクト操作に従い光ディスクのアンローディング動作を開始後、スロット部から取り出し可能な位置に来る前に排出検出部が誤って光ディスクの排出を検出したとしても、アンローディング動作開始後の経過時間が所定の基準時間に達するまではアンローディング動作が継続されて、スロット部から取り出し可能な位置まで排出させるので、ユーザが光ディスクを取り出し不能になるのを回避できる。
本発明の請求項２記載のスロットイン式光ディスク再生装置では、ローディング制御部は、予め、光ディスクのアンローディング動作を開始後、スロット部から取り出し可能な所定位置まで排出するのに要する時間を基準時間として記憶しておき、光ディスクの装填状態でイジェクト操作部でイジェクト操作がされたとき、スロットイン式ローディング部を制御してアンローディング動作を開始させるとともにアンローディング動作開始後の経過時間の計時を開始し、排出検出部で光ディスクが排出位置に来たことを示す検出出力がなされると、その時点までに計時した経過時間が前記基準時間を過ぎていたらアンローディング動作を直ちにまたは所定の一定時間後に停止させ、排出検出部で光ディスクが排出位置に来たことが検出されるまでに計時した経過時間がまだ前記基準時間に達していなければ、更にアンローディング動作を継続させ、その後、計時した経過時間が前記基準時間に達したら、その時点で排出検出部で光ディスクが排出位置に来たことを示す検出出力がなされていればアンローディング動作を直ちにまたは所定の一定時間後に停止させ、まだ排出検出部で光ディスクが排出位置に来たことを示す検出出力がなされていなければ、光ディスクが排出位置に来たことを示す検出出力がなされた所で直ちにまたは所定の一定時間後にアンローディング動作を停止させるようにしたこと、を特徴としている。
請求項２記載のスロットイン式光ディスク再生装置によれば、光ディスクが規格外のため、イジェクト操作に従い光ディスクのアンローディング動作を開始後、スロット部から取り出し可能な位置に来る前に排出検出部が誤って光ディスクの排出を検出したとき、少なくともアンローディング動作開始後の経過時間が所定の基準時間に達するまでアンローディング動作が継続される。そして、アンローディング動作開始後の経過時間が所定の基準時間に達したとき、まだ排出検出部で光ディスクが排出位置に来たことが検出されていなければ、光ディスクが排出位置に来たことが検出されるまでアンローディング動作を行わせるので、ユーザが光ディスクを取り出し不能になるのをより確実に回避できる。
本発明の請求項３記載のスロットイン式光ディスク再生装置では、ローディング制御部は、予め、光ディスクのアンローディング動作を開始後、スロット部から取り出し可能な所定位置まで排出するのに要する時間を基準時間として記憶しておき、光ディスクの装填状態でイジェクト操作部でイジェクト操作がされたとき、スロットイン式ローディング部を制御してアンローディング動作を開始させるとともにアンローディング動作開始後の経過時間の計時を開始し、排出検出部で光ディスクが排出位置に来たことを示す検出出力がなされると、その時点までに計時した経過時間が前記基準時間を過ぎていたらアンローディング動作を直ちにまたは所定の一定時間後に停止させ、排出検出部で光ディスクが排出位置に来たことが検出されるまでに計時した経過時間がまだ前記基準時間に達していなければ、更にアンローディング動作を継続させ、その後、計時した経過時間が前記基準時間に達したら、更に所定の一定時間経過した時点で排出検出部で光ディスクが排出位置に来たことを示す検出出力がなされていればアンローディング動作を直ちにまたは所定の一定時間後に停止させ、まだ排出検出部で光ディスクが排出位置に来たことを示す検出出力がなされていなければ、光ディスクが排出位置に来たことを示す検出出力がなされた所で直ちにまたは所定の一定時間後にアンローディング動作を停止させるようにしたこと、を特徴としている。
請求項３記載のスロットイン式光ディスク再生装置によれば、光ディスクが規格外のため、イジェクト操作に従い光ディスクのアンローディング動作を開始後、スロット部から取り出し可能な位置に来る前に排出検出部が誤って光ディスクの排出を検出したとき、少なくともアンローディング動作開始後の経過時間が所定の基準時間に達するまでアンローディング動作が継続される。そして、アンローディング動作開始後の経過時間が所定の基準時間に達したあと、更に所定の一定時間経過後にまだ排出検出部で光ディスクが排出位置に来たことが検出されていなければ、光ディスクが排出位置に来たことが検出されるまでアンローディング動作を行わせるので、ユーザが光ディスクを取り出し不能になるのをより一層確実に回避できる。
本発明の請求項４記載のスロットイン式光ディスク再生装置では、大小２種類のサイズの光ディスクを出し入れするスロット部と、光ディスクの記録信号を読み取り可能とするために回転する回転部と、スロット部から回転部へ光ディスクを移動させるローディング動作及び回転部からスロット部へ光ディスクを移動させるアンローディング動作をするスロットイン式ローディング部と、光ディスクのサイズを検出するための第１検出部と、スロットイン式ローディング部のローディング動作で光ディスクが回転部に装填状態になったことを検出する第２検出部と、スロットイン式ローディング部のアンローディング動作で大サイズの光ディスクが所定の排出位置に来たことを検出するための第３検出部と、スロットイン式ローディング部のアンローディング動作で小サイズの光ディスクが所定の排出位置に来たことを検出するための第４検出部と、光ディスク未装填状態でスロット部から光ディスクが挿入されるとスロットイン式ローディング部を制御してローディング動作を開始させ、第２検出部で光ディスクが回転部に装填状態になったことが検出されるとローディング動作を停止させ、反対に光ディスク装填状態でイジェクト操作部でイジェクト操作がされると、スロットイン式ローディング部を制御してアンローディング動作を開始させ、第３検出部と第４検出部の内、第１検出部で検出されたディスクサイズに応じた側でディスクが排出位置に来たことが検出されるとアンローディング動作を停止させるローディング制御部と、を含むスロットイン式光ディスク再生装置において、ローディング制御部は、予め、光ディスクのアンローディング動作を開始後、スロット部から取り出し可能な所定位置まで排出するのに要する時間を基準時間として記憶しておき、第１検出部でサイズが大であると検出された光ディスクの装填状態でイジェクト操作部でイジェクト操作がされたとき、スロットイン式ローディング部を制御してアンローディング動作を開始させるとともにアンローディング動作開始後の経過時間の計時を開始し、第３検出部で光ディスクが排出位置に来たことを示す検出出力がなされると、その時点までに計時した経過時間が前記基準時間を過ぎていたら直ちにまたは所定の一定時間後にアンローディング動作を停止させ、第３検出部で光ディスクが排出位置に来たことが検出されるまでに計時した経過時間がまだ前記基準時間に達していなければ、更にアンローディング動作を継続させ、その後、計時した経過時間が前記基準時間に達した所で直ちにまたは所定の一定時間後にアンローディング動作を停止させるようにしたこと、を特徴としている。請求項４記載のスロットイン式光ディスク再生装置によれば、第１検出部でサイズが大であると検出された光ディスクの装填状態でイジェクト操作部でイジェクト操作がされたとき、光ディスクが規格外のため、イジェクト操作に従い光ディスクのアンローディング動作を開始後、スロット部から取り出し可能な位置に来る前に第３検出部が誤って光ディスクの排出を検出したとしても、アンローディング動作開始後の経過時間が所定の基準時間に達するまではアンローディング動作が継続されて、スロット部から取り出し可能な位置まで排出させるので、ユーザが光ディスクを取り出し不能になるのを回避できる。
本発明の請求項５記載のスロットイン式光ディスク再生装置では、ローディング制御部は、予め、光ディスクのアンローディング動作を開始後、スロット部から取り出し可能な所定位置まで排出するのに要する時間を基準時間として記憶しておき、第１検出部でサイズが大であると検出された光ディスクの装填状態でイジェクト操作部でイジェクト操作がされたとき、スロットイン式ローディング部を制御してアンローディング動作を開始させるとともにアンローディング動作開始後の経過時間の計時を開始し、第３検出部で光ディスクが排出位置に来たことを示す検出出力がなされると、その時点までに計時した経過時間が前記基準時間を過ぎていたら直ちにまたは所定の一定時間後にアンローディング動作を停止させ、第３検出部で光ディスクが排出位置に来たことが検出されるまでに計時した経過時間がまだ前記基準時間に達していなければ、更にアンローディング動作を継続させ、その後、計時した経過時間が前記基準時間に達したら、その時点で第３検出部で光ディスクが排出位置に来たことを示す検出出力がなされていれば直ちにまたは所定の一定時間後にアンローディング動作を停止させ、まだ排出検出部で光ディスクが排出位置に来たことを示す検出出力がなされていなければ、光ディスクが排出位置に来たことを示す検出出力がなされた所で直ちにまたは所定の一定時間後にアンローディング動作を停止させるようにしたこと、を特徴としている。
請求項５記載のスロットイン式光ディスク再生装置によれば、第１検出部でサイズが大であると検出された光ディスクの装填状態でイジェクト操作部でイジェクト操作がされたとき、光ディスクが規格外のため、イジェクト操作に従い光ディスクのアンローディング動作を開始後、スロット部から取り出し可能な位置に来る前に第３検出部が誤って光ディスクの排出を検出したとき、少なくともアンローディング動作開始後の経過時間が所定の基準時間に達するまでアンローディング動作が継続される。そして、アンローディング動作開始後の経過時間が所定の基準時間に達したとき、まだ第３検出部で光ディスクが排出位置に来たことが検出されていなければ、光ディスクが排出位置に来たことが検出されるまで、アンローディング動作を行わせるので、ユーザが光ディスクを取り出し不能になるのをより確実に回避できる。
本発明の請求項６記載のスロットイン式光ディスク再生装置では、ローディング制御部は、予め、光ディスクのアンローディング動作を開始後、スロット部から取り出し可能な所定位置まで排出するのに要する時間を基準時間として記憶しておき、第１検出部でサイズが大であると検出された光ディスクの装填状態でイジェクト操作部でイジェクト操作がされたとき、スロットイン式ローディング部を制御してアンローディング動作を開始させるとともにアンローディング動作開始後の経過時間の計時を開始し、第３検出部で光ディスクが排出位置に来たことを示す検出出力がなされると、その時点までに計時した経過時間が前記基準時間を過ぎていたら直ちにまたは所定の一定時間後にアンローディング動作を停止させ、第３検出部で光ディスクが排出位置に来たことが検出されるまでに計時した経過時間がまだ前記基準時間に達していなければ、更にアンローディング動作を継続させ、その後、計時した経過時間が前記基準時間に達したら、更に所定の一定時間経過した時点で第３検出部で光ディスクが排出位置に来たことを示す検出出力がなされていれば直ちにまたは所定の一定時間後にアンローディング動作を停止させ、まだ排出検出部で光ディスクが排出位置に来たことを示す検出出力がなされていなければ、光ディスクが排出位置に来たことを示す検出出力がなされた所で直ちにまたは所定の一定時間後にアンローディング動作を停止させるようにしたこと、を特徴としている。
請求項６記載のスロットイン式光ディスク再生装置によれば、第１検出部でサイズが大であると検出された光ディスクの装填状態でイジェクト操作部でイジェクト操作がされたとき、光ディスクが規格外のため、イジェクト操作に従い光ディスクのアンローディング動作を開始後、スロット部から取り出し可能な位置に来る前に第３検出部が誤って光ディスクの排出を検出したとき、少なくともアンローディング動作開始後の経過時間が所定の基準時間に達するまでアンローディング動作が継続される。そして、アンローディング動作開始後の経過時間が所定の基準時間に達したあと更に所定の一定時間経過したとき、まだ第３検出部で光ディスクが排出位置に来たことが検出されていなければ、光ディスクが排出位置に来たことが検出されるまで、アンローディング動作を行わせるので、ユーザが光ディスクを取り出し不能になるのをより一層確実に回避できる。
【００２３】
【発明の実施の形態】
次に、本発明の一つの実施の形態を図１を参照して説明する。
図１は本発明に係るスロットイン式ＣＤプレーヤの構成図であり、図９と同一の構成部分には同一の符号が付してある。
２４Ａはプレーヤの全体的な制御を司るマイコン構成のコントロール部であり、ディスク未装填状態で直径１２ｃｍの通常のＣＤ（図９の符号２参照）、直径８ｃｍのシングルＣＤ３、直径は１２ｃｍであるが信号記録領域はシングルＣＤと同じ範囲のクールＣＤ３１（または図１８の符号３０参照）など各種のＣＤがスロット部４から挿入されたとき、スロットイン式ローディングメカ部１０、ローディングモータ１１、駆動部１２から成るスロットイン式ローディング部を制御してローディング動作を行わせ、ターンテーブル５に装填させる。反対にディスク装填状態でイジェクトキーが押されてイジェクト操作がされたとき、スロットイン式ローディング部を制御してアンローディング動作を行わせ、所定位置に排出させる。また、コントロール部２４Ａはディスク装填状態でＰＬＡＹキーが押されるとスピンドルモータによりターンテーブル５を回転させながら、光ピックアップ７、図示しないヘッドアンプ及び信号処理部から成る再生系を制御してディスクの再生を行わせる。
【００２４】
コントロール部２４Ａは、直径１２ｃｍの通常のＣＤ（図９の符号２参照）がターンテーブル５に装填された状態でスロットイン式ローディング部にアンローディング動作を開始させてから当該ＣＤがスロット部４から取り出し可能な位置まで排出されるのに要する時間を基準時間Ｔ0 として内蔵メモリ（図示せず）に記憶している。具体的には、直径１２ｃｍの通常のＣＤがターンテーブル５に装填された状態でスロットイン式ローディング部にアンローディング動作を開始させてから、第１ディスク排出検出部１７でディスクが排出位置に来たことが検出されて検出信号ＣがＬレベルになるまでの所要時間が例えば８７０ｍｓであったとすると、直径１２ｃｍの通常のＣＤのアンローディング動作開始後、例えば８２０ｍｓ（ほぼ図１３（１）の状態）〜１０５０ｍｓ（ほぼ図１３（２）の状態）経過した時点であればＣＤがスロット部４から取り出し可能な位置まで排出されている。
【００２５】
コントロール部２４Ａは、ディスク検出部１３でサイズが１２ｃｍのＣＤであると検出されたディスクがターンテーブル５に装填されている状態で、イジェクト操作がされた時、スロットイン式ローディング部にアンローディング動作を開始させた時点でタイマでの計時を零から開始させる。そして、第１ディスク排出検出部１７でディスクが排出位置に来たことが検出されると、その時点でのタイマの計時時間ｔと基準時間Ｔ0 とを比較し、ｔ＞Ｔ0 であればアンローディング動作が正常に実行されたと判断し、アンローディング動作を停止させる。若し、ｔ≦Ｔ0 であればＣＤが規格外のためアンローディング動作が正常に実行されなかったと判断し、ｔがＴ0 に達するまでアンローディング動作を継続させ、スロット部４からＣＤが取り出し可能な位置に来るまで排出させてからアンローディング動作を停止させる。
図１のその他の構成部分は図９と全く同様に構成されている。
【００２６】
図２と図３はコントロール部２４Ａの制御処理を示すフローチャート、図４〜図６はアンローディング動作の説明図であり、以下、これらの図を参照してスロットイン式ＣＤプレーヤにおけるローディング／アンローディング動作を説明する。なお、ここでは説明の便宜上、コントロール部２４Ａの内蔵メモリに記憶されたＴ0 は８２０ｍｓに設定されているものとする。また最初、ターンテーブル５はディスク未装填状態であり、Ａ〜ＤがいずれもＬレベルになっているものとする。
【００２７】
（１）信号記録面領域以外に光を反射する部分が無いクールＣＤ３０の場合
ユーザが図１８（１）に示すクールＣＤ３０をスロット部４から挿入し、信号記録面領域３０ｂがディスク検出部１３の上に来て発光素子１４から発射された光が受光素子１５で受光されると、該受光素子１５からディスク在りを示すＨレベルの検出信号Ａが出力される（図１９（１）参照）。コントロール部２４Ａは検出信号ＡがＨレベルに成るとディスクが挿入されたと判断し（図２のステップＳ４０でＹＥＳ）、駆動部１２を制御してローディングモータ１１を一定速度で正転させ、スロットイン式ローディングメカ部１０に対するローディング駆動を開始させ、スロットイン式ローディングメカ部１０のローディング動作を開始させる（ステップＳ４１）。これにより、クールＣＤ３０はスロット部４からターンテーブル５に移動され、中心孔３０ａが凸部６に嵌合してディスク装填状態となる（図１９（２）参照。この際、スロットイン式ローディングメカ部１０に連動した図示しないチャッキングメカ部によりクールＣＤ３０がチャッキングされる）。この後、スロットイン式ローディングメカ部１０のローディング動作に連動して装填完了検出部１６の接点が閉じ、ディスク装填完了を示すＨレベルの検出信号Ｂが出力される。
【００２８】
コントロール部２４Ａは検出信号ＢがＨレベルに成るとディスク装填が完了したと判断し（ステップＳ４２でＹＥＳ）、駆動部１２を制御してローディングモータ１１を停止させ、スロットイン式ローディングメカ部１０に対するローディング駆動を停止させ、スロットイン式ローディングメカ部１０のローディング動作を停止させる（ステップＳ４３）。このとき、ディスク検出部１３から入力された検出信号Ａをチェックして今回装填されたディスクのサイズを判別し、判別結果をＳＩＺＥデータとして記憶しておく（ステップＳ４４）。ここでは、ディスク検出部１３の上が透明領域３０ｄなので、発光素子１４から発射された光は受光素子１５に入射せず、ＡがＬレベルとなるのでＳＩＺＥデータ＝８ｃｍである。このようにクールＣＤ３０のターンテーブル５への装填が完了したとき、第２ディスク排出検出部２０の真上に信号記録面領域３０ｂが来て、発光素子２１から発射された光が受光素子２２で受光され、該受光素子２２からＨレベルの検出信号Ｄが出力される（図１９（２）参照）。
【００２９】
このあと、操作部２３でＰＬＡＹキーが押されるとコントロール部２４Ａはスピンドルモータによりターンテーブル５を線速度一定で回転させ、光ピックアップ７、図示しないヘッドアンプ、信号処理部の再生系によりクールＣＤ３０を先頭から再生させ、最後まで再生が終わるか、ＳＴＯＰキーが押された所で再生を停止させる（ステップＳ４５〜Ｓ４９）。
【００３０】
再生停止後、ユーザがターンテーブル５に装填状態となっているクールＣＤ３０（図１９（２）参照）を取り出したいとき、操作部２３のイジェクトキーを押し、イジェクト操作を行う。すると、コントロール部２４ＡはステップＳ５０でＹＥＳと判断し、図３のフローへ進む。なお。再生中にイジェクト操作をしたとき、コントロール部２４Ａは再生を停止させたあと図３のフローへ進む（ステップＳ５１、Ｓ５２）。図３のフローでは、コントロール部２４Ａは駆動部１２を制御してローディングモータ１１を一定速度で逆転させ、スロットイン式ローディングメカ部１０に対するアンローディング駆動を開始させ、スロットイン式ローディングメカ部１０のアンローディング動作を開始させ（ステップＳ６０）、この際、零を初期値にしてアンローディング動作開始時点からの経過時間ｔの計時を行うタイマをスタートさせる（（ステップＳ６１）。最初、スロットイン式ローディングメカ部１０のアンローディング動作と連動してチャッキングメカ部によるチャッキングが解除する。続いて、スロットイン式ローディングメカ部１０のアンローディング動作により、クールＣＤ３０が上昇して中心孔３０ａがターンテーブル５の凸部６から外れる（この段階で装填完了検出部１６の接点が開き、検出信号ＢはＬレベルに落ちる）。次に、クールＣＤ３０がスロット部４の方向に真っ直ぐ移動していく。
【００３１】
コントロール部２４ＡはステップＳ６２のあと、ローディング動作でディスクをターンテーブル５に装填状態にした直後に判別して記憶しておいたＳＩＺＥデータが８ｃｍなので、実際のディスクサイズが８ｃｍのシングルＣＤ（図１の符号３参照）であるか、または実際のディスクサイズが１２ｃｍのクールＣＤであるが、外周側の透明領域３０ｄにラベルや絵がなく、ディスク検出不能となっているクールＣＤ（図１８（１）の符号３０参照）と判断し、小サイズ用の第２ディスク排出検出部２０の検出信号Ｄがディスクが排出位置に来たことを示すＬレベルになるのを待つ（ステップＳ６２、Ｓ６３）。
【００３２】
ＤがＬレベルになったところでディスクが排出位置に来たと判断し、更に１３０ｍｓの待ち時間を取ったあと駆動部１２を制御してローディングモータ１１を停止させ、スロットイン式ローディングメカ部１０に対するアンローディング駆動を停止させてアンローディング動作を停止させる（ステップＳ６４、Ｓ６５）。これにより、クールＣＤ３０のほぼ半分がスロット部４から外部に排出された状態となり、ユーザが取り出し不能となることはない（図４（１）参照）。ステップＳ６４で１３０ｍｓの待ち時間を取ることで、信号記録面領域３０ｂを第２ディスク排出検出部２０から離れた位置に来るようにし、振動が起きても誤って第２ディスク排出検出部２０がＨレベルを出力しないようにできる。アンローディング動作が停止したとき、信号記録領域３０ｂがディスク検出部１３の上に来るので、検出信号ＡはＨレベルとなる。
【００３３】
排出が完了したクールＣＤ３０を取り出すと、ディスク検出部１３がディスク無しを示すＬレベルの検出信号を出力するので、検出信号Ａ、Ｃ、Ｄが全てＬレベルとなる。このためコントロール部２４ＡはステップＳ６６でＹＥＳと判断し、図２のステップＳ４０に戻る。
若し、ユーザが一度排出されたクールＣＤ３０を再度聴取するため、クールＣＤ３０をスロット部４の中に押し込み、信号記録面領域３０ｂが第２ディスク排出検出部２０の上に来たとき、検出信号ＤがＬからＨレベルに変わる（図４（２）参照）。すると、コントロール部２４ＡはステップＳ６７でＹＥＳと判断し、図２のステップＳ４１に進んで、前述と全く同様にしてローディング動作を行わせる。
【００３４】
（２）通常の８ｃｍのシングルＣＤを挿入した場合
クールＣＤ３０を取り出し、代わりに図１に示す８ｃｍのシングルＣＤ３をスロット部４から挿入した場合、（１）と全く同様にしてディスク検出部１３の上に信号記録面領域３ｂが来てＨレベルの検出信号Ａが入力されると（図１５（１）参照）、ローディング駆動を開始させ、装填完了検出部１６からＨレベルの検出信号Ｂが出力された所でローディング駆動を停止させる（図２のステップＳ４０〜Ｓ４３。図１５（２）参照）。そして、ディスク検出部１３から入力された検出信号Ａをチェックして今回装填されたディスクのサイズを判別し、判別結果をＳＩＺＥデータとして記憶しておく（ステップＳ４４）。ここでは、ＡがＬレベルとなるのでＳＩＺＥデータ＝８ｃｍとなる。
このあと、操作部２３でＰＬＡＹキーが押されるとコントロール部２４Ａはスピンドルモータによりターンテーブル５を線速度一定で回転させ、光ピックアップ７、図示しないヘッドアンプ、信号処理部の再生系によりシングルＣＤ３を先頭から再生させ、最後まで再生が終わるか、ＳＴＯＰキーが押された所で再生を停止させる（ステップＳ４５〜Ｓ４９）。
【００３５】
再生停止後、ユーザがターンテーブル５に装填状態となっているシングルＣＤ３（図１５（２）参照）を取り出したいとき、操作部２３のイジェクトキーを押し、イジェクト操作を行う。すると、コントロール部２４ＡはステップＳ５０でＹＥＳと判断し、図３のフローへ進む。なお。再生中にイジェクト操作をしたとき、コントロール部２４Ａは再生を停止させたあと図３のフローへ進む（ステップＳ５１、Ｓ５２）。図３のフローでは、コントロール部２４Ａはまずアンローディング駆動を開始させるとともにタイマをスタートさせ（ステップＳ６０、Ｓ６１）、ローディング動作でターンテーブル５に装填状態とされた直後に判別して記憶しておいたＳＩＺＥデータが８ｃｍなので、実際のディスクサイズが８ｃｍのシングルＣＤ３であるか、または実際のディスクサイズが１２ｃｍのクールＣＤであるが、外周側の透明領域３０ｄにラベルや絵がなく、ディスク検出不能となっているタイプのクールＣＤ（図１８（１）の符号３０参照）と判断し、小サイズ用の第２ディスク排出検出部２０の検出信号Ｄがディスクが排出位置に来たことを示すＬレベルになるのを待つ（ステップＳ６２、Ｓ６３）。ＤがＬレベルになったところでディスクの排出完了と判断し（ステップＳ６４。図１６（１）参照）、更に１３０ｍｓの待ち時間を取ったあと駆動部１２を制御してローディングモータ１１を停止させ、スロットイン式ローディングメカ部１０に対するアンローディング駆動を停止させ、スロットイン式ローディングメカ部１０のアンローディング動作を停止させる（ステップＳ６５、Ｓ６６）。これにより、８ｃｍのシングルＣＤ３に適った排出量を確保でき、スロット部４からほぼ半分を外に出すことができる（図１６（２）参照）。
【００３６】
（３）通常の１２ｃｍのＣＤを挿入した場合
シングルＣＤ３を取り出し、代わりに図９に示す直径１２ｃｍの通常のＣＤ２をスロット部４から挿入した場合、ディスク検出部１３の上に信号記録面領域２ｂが来てＨレベルの検出信号Ａが入力されると、ローディング駆動を開始させ（図２のステップＳ４０、Ｓ４１。図１２（１）参照）、装填完了検出部１６からＨレベルの検出信号Ｂが出力された所でローディング駆動を停止させる（ステップＳ４２、Ｓ４３。図１２（２）参照）。そして、ディスク検出部１３から入力された検出信号Ａをチェックして今回装填されたディスクのサイズを判別し、判別結果をＳＩＺＥデータとして記憶しておく（ステップＳ４４）。ここでは、信号記録面領域２ｂがディスク検出部１３の上に来てＡがＨレベルとなるのでＳＩＺＥデータ＝１２ｃｍとなる。
このあと、操作部２３でＰＬＡＹキーが押されるとコントロール部２４Ａはスピンドルモータによりターンテーブル５を線速度一定で回転させ、光ピックアップ７、図示しないヘッドアンプ、信号処理部の再生系によりＣＤ２を先頭から再生させ、最後まで再生が終わるか、ＳＴＯＰキーが押された所で再生を停止させる（ステップＳ４５〜Ｓ４９）。
【００３７】
再生停止後、ユーザがターンテーブル５に装填状態となっているＣＤ２を取り出したいとき、操作部２３のイジェクトキーを押し、イジェクト操作を行う。すると、コントロール部２４ＡはステップＳ５０でＹＥＳと判断し、図３のフローへ進む。なお。再生中にイジェクト操作をしたとき、コントロール部２４Ａは再生を停止させたあと図３のフローへ進む（ステップＳ５１、Ｓ５２）。図３のフローでは、コントロール部２４Ａはまずまずアンローディング駆動を開始させるとともにタイマをスタートさせ（ステップＳ６０、Ｓ６１）、ローティング動作で光ディスクがターンテーブル５に装填状態とされた直後に判別して記憶しておいたＳＩＺＥデータが１２ｃｍなので、実際のディスクサイズが１２ｃｍの通常のＣＤ（図９の符号２参照）であるか、または実際のディスクサイズが１２ｃｍのクールＣＤであるが、外周側の透明領域３０ｄの全部または一部にラベルや絵が有り、外周側の全部または一部もディスク検出可能となっているクールＣＤ（図１８（２）の符号３１参照）と判断し、大サイズ用の第１ディスク排出検出部１７の検出信号Ｃがディスクが排出位置に来たことを示すＬレベルになるのを待つ（ステップＳ６２、Ｓ６８）。
【００３８】
第１ディスク排出検出部１７の上に信号記録面領域２ｂが無い状態になると、ＣがＬレベルとなる。すると、コントロール部２４Ａはディスクが排出位置に来たと判断する（ステップＳ６８でＹＥＳ、図１３（１）参照）。但し、若しディスクが規格外のクールＣＤであり、外周側の透明領域３０ｄの一部にしかラベルや絵がないとき、完全に排出位置に来ない内にＣがＬレベルとなる場合が有る。そこで、ＣがＬレベルになった時点でのタイマの計時時間ｔをＴ0 （＝８２０ｍｓ）と比較し、ｔ＞Ｔ0 かチェックする（ステップＳ６９）。通常のＣＤ２を正常にアンローディングしたとき、第１ディスク排出検出部１７でディスク排出が検出されたときはＣＤ２がスロット部４から取り出し可能な位置まで排出されており（図１３（１）参照）、またアンローディング開始から第１ディスク排出検出部１７でディスク排出が検出されるまでに８７０ｍｓほど経過しているので、コントロール部２４ＡはステップＳ６９でＹＥＳと判断する。このとき、更に１３０ｍｓの待ち時間を取ったあと駆動部１２を制御してローディングモータ１１を停止させ、スロットイン式ローディングメカ部１０のアンローディング駆動を停止させる（ステップＳ６４、Ｓ６５。図１３（２）参照）。これにより、スロット部４から外側へ１２ｃｍのサイズの通常のＣＤ２に適した排出量を確保でき、ユーザが取り出し不能とならない。
【００３９】
（４）外周側の透明領域にはみ出してラベルが貼られたクールＣＤの場合
ユーザが図１８（２）に示すクールＣＤ３１をスロット部４から挿入し、信号記録領域３１ｂまたはラベル３２がディスク検出部１３の上に来て発光素子１４から発射された光が受光素子１５で受光されると、該受光素子１５からディスク在りを示すＨレベルの検出信号Ａが出力される（図２１（１）参照）。コントロール部２４Ａは検出信号ＡがＨレベルに成るとディスクが挿入されたと判断し（図２のステップＳ４０でＹＥＳ）、駆動部１２を制御してローディングモータ１１を一定速度で正転させ、スロットイン式ローディングメカ部１０に対するローディング駆動を開始させ、スロットイン式ローディングメカ部１０のローディング動作を開始させる（ステップＳ４１）。これにより、クールＣＤ３１はスロット部４からターンテーブル５に移動され、中心孔３１ａが凸部６に嵌合して装填状態となる（この際、スロットイン式ローディングメカ部１０に連動した図示しないチャッキングメカ部によりクールＣＤ３１がチャッキングされる）。この後、スロットイン式ローディングメカ部１０のローディング動作に連動して装填完了検出部１６の接点が閉じ、ディスク装填完了を示すＨレベルの検出信号Ｂが出力される。
【００４０】
コントロール部２４Ａは検出信号ＢがＨレベルに成るとディスク装填が完了したと判断し（ステップＳ４２でＹＥＳ）、駆動部１２を制御してローディングモータ１１を停止させ、スロットイン式ローディングメカ部１０のローディング駆動を停止させる（ステップＳ４３）。このとき、ディスク検出部１３から入力された検出信号Ａをチェックして今回装填されたディスクのサイズを判別し、判別結果をＳＩＺＥデータとして記憶しておく（ステップＳ４４）。ここでは、ラベル３２がディスク検出部１３の上に来ており、発光素子１４から発せられた光がラベル３２の裏面で反射して受光素子１５に入射し、ＡがＨレベルであったのでＳＩＺＥデータ＝１２ｃｍとなったものとする（図２１（２）参照）。このようにクールＣＤ３１のターンテーブル５への装填が完了したとき、第２ディスク排出検出部２０の真上に信号記録領域３１ｂが来て、発光素子２１から発射された光が受光素子２２で受光され、該受光素子２２からＨレベルの検出信号Ｄが出力される。
【００４１】
このあと、操作部２３でＰＬＡＹキーが押されるとコントロール部２４Ａはスピンドルモータによりターンテーブル５を線速度一定で回転させ、光ピックアップ７、図示しないヘッドアンプ、信号処理部の再生系によりクールＣＤ３１を先頭から再生させ、最後まで再生が終わるか、ＳＴＯＰキーが押された所で再生を停止させる（ステップＳ４５〜Ｓ４９）。
【００４２】
再生停止後、ユーザがターンテーブル５に装填状態となっているクールＣＤ３１を取り出したいとき、操作部２３のイジェクトキーを押し、イジェクト操作を行う。すると、コントロール部２４ＡはステップＳ５０でＹＥＳと判断し、図３のフローへ進む。なお。再生中にイジェクト操作をしたとき、コントロール部２４Ａは再生を停止させたあと図３のフローへ進む（ステップＳ５１、Ｓ５２）。図３のフローでは、コントロール部２４Ａはまず駆動部１２を制御してローディングモータ１１を一定速度で逆転させ、スロットイン式ローディングメカ部１０に対するアンローディング駆動を開始させ、スロットイン式ローディングメカ部１０のアンローディング動作を開始させる（ステップＳ６０）。また、タイマの計時をスタートさせる（ステップＳ６１）。最初、スロットイン式ローディングメカ部１０のアンローディング動作と連動してチャッキングメカ部によるチャッキングが解除する。続いて、スロットイン式ローディングメカ部１０のアンローディング動作により、クールＣＤ３１が上昇して中心孔３１ａがターンテーブル５の凸部６から外れる（この段階で装填完了検出部１６の接点が開き、検出信号ＢはＬレベルに落ちる）。次に、クールＣＤ３１がスロット部４の方向に真っ直ぐ移動していく。
【００４３】
コントロール部２４ＡはステップＳ６１のあと、ＳＩＺＥデータが１２ｃｍなので、大サイズ用の第１ディスク排出検出部１７の検出信号Ｃがディスクが排出位置に来たことを示すＬレベルになるのを待つ（ステップＳ６２、Ｓ６８）。アンローディング動作の開始時、クールＣＤ３１が図５（１）の状態にあったとき、第１ディスク排出検出部１７の上にラベル３２が無い状態になると、ＣがＬレベルとなる（図５（２）参照）。すると、コントロール部２４Ａは一応ディスクが排出位置に来たと判断し（ステップＳ６８でＹＥＳ）、更に、タイマの計時時間ｔをＴ0 と比較し、ｔ＞Ｔ0 かチェックする（ステップＳ６９）。ここではまだ取り出し可能な位置まで排出されておらず、アンローディング動作開始後、２００ｍｓしか経過していなかったとき、ステップＳ６９でＮＯと判断する。この場合、コントロール部２４Ａはアンローディング動作を継続させたままタイマの計時時間ｔがＴ0 に達するのを待つ（ステップＳ７０）。ｔ＝Ｔ0 になれば、クールＣＤ３１はスロット部４から取り出し可能な所定位置まで排出されており（図６（１）参照）、ステップＳ７１でＹＥＳと判断し、更に１８０ｍｓの待ち時間を取ったあと駆動部１２を制御してローディングモータ１１を停止させ、スロットイン式ローディングメカ部１０のアンローディング駆動を停止させる（ステップＳ７１、Ｓ６５。図６（２）参照）。これにより、スロット部４から外側へ、前述した通常の１２ｃｍのＣＤ２やクールＣＤ３０の場合と同じ量だけ確実に排出でき、ユーザが取り出し不能となることはない。
【００４４】
この実施の形態によれば、コントロール部２４Ａは予め、直径１２ｃｍの通常のＣＤ（図９の符号２参照）がターンテーブル５に装填された状態でスロットイン式ローディング部にアンローディング動作を開始させてから当該ＣＤがスロット部４から取り出し可能な所定位置まで排出されるのに要する時間を基準時間Ｔ0 として内蔵メモリ（図示せず）に記憶している。そして、ローディング動作で光ディスクがターンテーブル５に装填状態とされた直後にディスクサイズ検出部１３で検出されたディスクサイズを記憶しておき、イジェクト操作に応じてターンテーブル５に装填状態とされた光ディスクのアンローディング動作を開始させたとき、タイマの計時も開始させる。ディスクサイズが１２ｃｍの大サイズであった場合、規格通りの通常のＣＤ（図９の符号２参照）である可能性と外周側の透明領域にはみ出してラベルが貼られた規格外のクールＣＤ（図１の符号３１参照）の可能性がある。そこで、大サイズ用の第１ディスク排出検出部１７でディスクの排出が検出された時点でｔ＞Ｔ0 であれば、光ディスクをスロット部４から取り出し可能な位置まで排出したと判断できるので、所定の一定時間経過した時点でアンローディング動作を停止させる。反対に、ｔ＞Ｔ0 でなければ、光ディスクが規格外のクールＣＤであり、スロット部４から取り出し可能な位置まで排出できていないと判断できるので、ｔ＝Ｔ0 となるまで待つことでスロット部４から取り出し可能な位置までアンローディング動作を継続させたあと、更に所定の一定時間経過した時点でアンローディング動作を停止させる。これにより、規格外のクールＣＤであってもスロット部４から外側へ確実に１２ｃｍサイズのＣＤに適した位置まで排出でき、ユーザが取り出し不能となることはない。
【００４５】
なお、上記した実施の形態では、Ｔ0 ＝８２０ｍｓとして説明したが、本発明は何らこれに限定されるものでなく、Ｔ0 ＝８５０ｍｓとしたり、或いは、８７０ｍｓ、９００ｍｓなどに設定しても良い。
また、ディスクサイズが１２ｃｍの大サイズの光ディスクのアンローディング動作開始後、大サイズ用の第１ディスク排出検出部１７でディスクの排出が検出された時点でｔ＞Ｔ0 であれば、更に１３０ｍｓ経過した時点でアンローディング動作を停止させるようにしたが（図３のステップＳ６４参照）、１３０ｍｓを１００ｍｓや１５０ｍなど他の時間に変えても良く、或いは、大サイズ用の第１ディスク排出検出部１７でディスクの排出が検出された時点でｔ＞Ｔ0 であれば、直ちにアンローディング動作を停止させるようにしても良い。また、ディスクサイズが１２ｃｍの大サイズの光ディスクのアンローディング動作開始後、大サイズ用の第１ディスク排出検出部１７でディスクの排出が検出された時点でｔ＞Ｔ0 でなければ、ｔ＝Ｔ0 となるまで待ったあと更に１８０ｍｓ経過した時点でアンローディング動作を停止させるようにしたが（図３のステップＳ７１参照）、１８０ｍｓを１５０ｍｓや２００ｍｓなど他の時間に変えても良く、或いは、ｔ＝Ｔ0 となった時点で直ちにアンローディング動作を停止させるようにしても良い。
【００４６】
また、図３を図７の如く変形し（図７の内、図３と同一のステップ符号は同一の処理を示す）、大サイズ用の第１ディスク排出検出部１７でディスクの排出が検出された時点でｔ＞Ｔ0 でなければ（ステップＳ６９でＮＯ）、ｔ＝Ｔ0 となるまで待ったあと更に１８０ｍｓ経過した時点で（ステップＳ７０、Ｓ７１）、大サイズ用の第１ディスク排出検出部１７でディスクの排出が検出されているかチェックし（ステップＳ７２）、ＹＥＳであれば、光ディスクがスロット部４から取り出し可能な位置まで確実に排出済であると判断し、ステップＳ６５に進んでアンローディング動作を停止する。反対に、Ｔ0 を短め目に設定していたり、規格外のため光ディスクの動きが悪いなどの理由で、ステップＳ７２でＮＯとなれば、アンローディング動作を継続させたままステップＳ７２でＹＥＳとなるまで待つ。ステップＳ７２でＹＥＳとなり、光ディスクがスロット部４から取り出し可能な位置まで確実に排出済となったところでステップＳ６５に進んでアンローディング動作を停止するようにしても良い。このようにすれば、ユーザが光ディスクを取り出し不能になるのをより確実に回避できる。図７において、ステップＳ７１での待ち時間は１５０ｍｓや２００ｍｓなど他の時間に変えてもよく、或いは省略して待ち時間無しにすることもできる。
【００４７】
また、図３を図８の如く変形し（図８の内、図３と同一のステップ符号は同一の処理を示す）、大サイズ用の第１ディスク排出検出部１７でディスクの排出が検出された時点でｔ＞Ｔ0 でなければ（ステップＳ６９でＮＯ）、ｔ＝Ｔ0 となるまで待ったあと更に１８０ｍｓ経過した時点で（ステップＳ７０、Ｓ７１）、大サイズ用の第１ディスク排出検出部１７でディスクの排出が検出されているかチェックし（ステップＳ７２）、ＹＥＳであれば、光ディスクがスロット部４から取り出し可能な位置まで確実に排出済であると判断し、ステップＳ６５に進んでアンローディング動作を停止する。反対に、Ｔ0 を短め目に設定していたり、規格外のため光ディスクの動きが悪いなどの理由で、ステップＳ７２でＮＯとなれば、アンローディング動作を継続させたままステップＳ７２でＹＥＳとなるまで待つ。ステップＳ７２でＹＥＳとなり、光ディスクがスロット部４から取り出し可能な位置まで確実に排出済となったところで、更に、１３０ｍｓだけ待ったのち（ステップＳ７３）、ステップＳ６５に進んでアンローディング動作を停止するようにしても良い。このようにすれば、ユーザが光ディスクを取り出し不能になるのをより一層確実に回避できる。図８において、ステップＳ７１での待ち時間は１５０ｍｓや２００ｍｓなど他の時間に変えてもよく、或いは省略して待ち時間無しにすることもでき、ステップＳ７３での待ち時間は１００ｍｓや１５０ｍｓなど他の時間に変えてもよい。
【００４８】
【発明の効果】
本発明によれば、規格外の光ディスクであっても、確実に外部に排出することができ、取り出しづらくなる不便を回避できる。
【図面の簡単な説明】
【図１】本発明の一つの実施の形態に係るスロットイン式ＣＤプレーヤの構成図である。
【図２】図１中のコントロール部の制御処理を示すフローチャートである。
【図３】図１中のコントロール部の制御処理を示すフローチャートである。
【図４】図１のローディング／アンローディング動作の説明図である。
【図５】図１のローディング／アンローディング動作の説明図である。
【図６】図１のローディング／アンローディング動作の説明図である。
【図７】図３の変形例に係るフローチャートである。
【図８】図３の他の変形例に係るフローチャートである。
【図９】従来のスロットイン式ＣＤプレーヤの構成図である。
【図１０】図９中のコントロール部の制御処理を示すフローチャートである。
【図１１】図９中のコントロール部の制御処理を示すフローチャートである。
【図１２】図９のローディング／アンローディング動作の説明図である。
【図１３】図９のローディング／アンローディング動作の説明図である。
【図１４】図９のローディング／アンローディング動作の説明図である。
【図１５】図９のローディング／アンローディング動作の説明図である。
【図１６】図９のローディング／アンローディング動作の説明図である。
【図１７】図９のローディング／アンローディング動作の説明図である。
【図１８】規格と異なるタイプのＣＤの外観図である。
【図１９】図９のローディング／アンローディング動作の説明図である。
【図２０】図９のローディング／アンローディング動作の説明図である。
【図２１】図９のローディング／アンローディング動作の説明図である。
【図２２】図９のローディング／アンローディング動作の説明図である。
【符号の説明】
２  ＣＤ                          ２ａ、３ａ、３０ａ、３１ａ  中心孔
２ｂ、３ｂ、３０ｂ、３１ｂ  信号記録面領域
２ｃ、２ｄ、３ｃ、３ｄ、３０ｃ、３０ｄ、３１ｃ、３１ｄ  透明領域
３  シングルＣＤ                  ４  スロット部
５  ターンテーブル                ６  凸部
１０  スロットイン式ローディングメカ部
１１  ローディングモータ          １２  駆動部
１３  ディスク検出部              １４、１８、２１  発光素子
１５、１９、２２  受光素子        １６  装填完了検出部
１７  第１ディスク排出検出部    ２０  第２ディスク排出検出部
２３  操作部                      ２４Ａ  コントロール部
３０、３１  クールＣＤ
【図１】
0003696076.tif 000002
【図２】
0003696076.tif 000003
【図３】
0003696076.tif 000004
【図４】
0003696076.tif 000005
【図５】
0003696076.tif 000006
【図６】
0003696076.tif 000007
【図７】
0003696076.tif 000008
【図８】
0003696076.tif 000009
【図９】
0003696076.tif 000010
【図１０】
0003696076.tif 000011
【図１１】
0003696076.tif 000012
【図１２】
0003696076.tif 000013
【図１３】
0003696076.tif 000014
【図１４】
0003696076.tif 000015
【図１５】
0003696076.tif 000016
【図１６】
0003696076.tif 000017
【図１７】
0003696076.tif 000018
【図１８】
0003696076.tif 000019
【図１９】
0003696076.tif 000020
【図２０】
0003696076.tif 000021
【図２１】
0003696076.tif 000022
【図２２】
0003696076.tif 000023